(57)【特許請求の範囲】
【請求項１】
テレビジョン放送信号を受信するテレビジョン放送受信機であって、
各地域に対応するチャンネルリストを予め記憶するチャンネルリスト記憶手段と、
受信可能な地域を識別するための地域識別情報を含むテレビジョン放送信号を受信する受信手段と、
現在位置を検出する検出手段と、
前記各地域それぞれについて、テレビジョン放送信号を受信可能な範囲を記憶する受信範囲記憶手段と、
前記検出手段により検出された現在位置を含む受信範囲が、前記受信範囲記憶手段に記憶された一の受信範囲から他の受信範囲に切り替ったか否かを判断する判断手段と、
前記判断手段により現在位置を含む受信範囲が一の受信範囲から他の受信範囲に切り替ったと判断された場合に、チャンネルを所定の順番でスキャンして、前記受信手段によりテレビジョン放送信号の受信が可能なチャンネルを検出するスキャン手段と、
前記スキャン手段により受信可能な一のチャンネルが検出された場合に、当該チャンネルに対応するテレビジョン放送信号に含まれる地域識別情報に基づいて、当該テレビジョン放送信号を受信可能な地域を特定する特定手段と、
前記チャンネルリスト記憶手段に記憶されているチャンネルリストのうち、前記特定手段により特定された地域に対応するチャンネルリストを設定する設定手段と、
を備えるテレビジョン放送受信機。
【請求項２】
前記スキャン手段は、前記設定手段により設定されたチャンネルリストにリストアップされているチャンネルを飛ばして前記スキャンを行うことを特徴とする請求項１に記載のテレビジョン放送受信機。
【請求項３】
前記受信範囲記憶手段は、前記各地域の中に受信範囲が他の地域の受信範囲と重なる部分を有する地域がある場合は、当該地域の受信範囲を、当該他の地域の受信範囲と重なる部分を除く範囲と、当該他の地域の受信範囲と重なる部分の範囲と、に分けて記憶することを特徴とする請求項１又は２に記載のテレビジョン放送受信機。
【請求項４】
前記検出手段は、ＧＰＳ（Global Positioning System）及び／又はＥＴＣ（Electronic Toll Collection System）を利用して現在位置を検出することを特徴とする請求項１から３の何れか一項に記載のテレビジョン放送受信機。
【請求項５】
請求項１〜４の何れか一項に記載のテレビジョン放送受信機によるチャンネルリスト設定方法であって、
前記検出手段によって、現在位置を検出する検出ステップと、
前記判断手段によって、前記検出手段により検出された現在位置を含む受信範囲が、前記受信範囲記憶手段に記憶された一の受信範囲から他の受信範囲に切り替ったか否かを判断する判断ステップと、
前記判断ステップで現在位置を含む受信範囲が一の受信範囲から他の受信範囲に切り替ったと判断された場合に、前記スキャン手段によって、チャンネルを所定の順番でスキャンして、前記受信手段によりテレビジョン放送信号の受信が可能なチャンネルを検出するスキャンステップと、
前記スキャンステップで受信可能な一のチャンネルが検出された場合に、前記特定手段によって、当該チャンネルに対応するテレビジョン放送信号に含まれる地域識別情報に基づいて、当該テレビジョン放送信号を受信可能な地域を特定する特定ステップと、
前記設定手段によって、前記チャンネルリスト記憶手段に記憶されているチャンネルリストのうち、前記特定手段により特定された地域に対応するチャンネルリストを設定する設定ステップと、
を備えるチャンネルリスト設定方法。
【発明の詳細な説明】
【技術分野】
【０００１】
本発明は、テレビジョン放送受信機及びチャンネルリスト設定方法に関する。
【背景技術】
【０００２】
テレビジョン放送信号（以下、「ＴＶ放送信号」という）の受信が可能なテレビジョン放送受信機においては、例えば、通常動作時に、ユーザによって選局されたチャンネルに対応するＴＶ放送信号をすばやく受信することができるよう、初期設定や再設定によって、ＴＶ放送信号が受信可能なチャンネルをリストアップしたチャンネルリストを設定するようになっている。
【０００３】
具体的には、例えば、移動体通信端末向けの地上デジタルテレビジョン放送（１セグメント放送）を受信可能なテレビジョン放送受信機において、ハンドオフにより基地局が切り替ったタイミングで、基地局から受信したチャンネル情報に基づくチャンネルに対してチャンネル検索を実行し、当該チャンネル検索に基づいてチャンネルリストを作成して設定する技術（例えば、特許文献１参照）などが提案されている。
また、例えば、テレビジョン放送受信機能を有する携帯端末において、ユーザにより所定の操作ボタンが押下されたタイミングで、チャンネルリスト要求信号をサーバに送信し、当該要求信号に従って送信されたチャンネルリストを受信して設定する技術（例えば、特許文献２及び３参照）なども提案されている。
また、例えば、チャンネル検索装置（テレビジョン放送受信機）において、予め設定された各地域に対応するチャンネルリストを記憶しておき、ユーザにより入力された、或る地域に何時に着くという予定時刻になったタイミングで、ユーザにより入力された地域（又はＧＰＳによって取得された位置を含む地域）やその地域に近接する地域に対応するチャンネルリストを、予め記憶されているチャンネルリストの中から選択して設定する技術（例えば、特許文献４参照）なども提案されている。
【特許文献１】特開２００７−２２１４７６号公報
【特許文献２】特開２００２−２９０３５６号公報
【特許文献３】特開２００７−６７７７１号公報
【特許文献４】特開２００６−６７２７０号公報
【発明の開示】
【発明が解決しようとする課題】
【０００４】
しかしながら、特許文献１記載の技術では、チャンネル検索に基づいて作成されたチャンネルリストを設定するため、チャンネル検索の時点では受信不可能であるが移動することによって受信可能となるチャンネルがある場合、そのチャンネルはチャンネルリストにリストアップされず、最適なチャンネルリストを効率よく設定することができないという問題がある。また、特許文献１記載の技術では、ハンドオフにより基地局が切り替ったタイミングで、設定されているチャンネルリストを更新するようになっているが、放送の受信範囲と基地局の通信範囲とは異なるため、チャンネルリストを好適なタイミングで再設定することができないという問題もある。
また、特許文献２及び３記載の技術では、ユーザにより所定の操作ボタンが押下されたタイミングで、設定されているチャンネルリストを更新するようになっているため、チャンネルリストを好適なタイミングで再設定することができないという問題がある。
また、特許文献４記載の技術では、ユーザが入力した地域（又はＧＰＳによって所得された位置を含む地域）に近接する近接地域であれば、テレビジョン放送信号が受信可能か否かに関わらず、その近接地域に対応するチャンネルリストを設定することになるため、最適なチャンネルリストを効率よく設定することができないという問題がある。また、特許文献４記載の技術では、ユーザによって入力された予定時刻になったタイミングで、設定されているチャンネルリストを更新するようになっているため、チャンネルリストを好適なタイミングで再設定することができないという問題もある。
【０００５】
本発明の課題は、最適なチャンネルリストを効率よく設定することができるとともに、チャンネルリストを好適なタイミングで再設定することができるテレビジョン放送受信機及びチャンネルリスト設定方法を提供することにある。
【課題を解決するための手段】
【０００６】
上記課題を解決するために、請求項１に記載の発明は、
テレビジョン放送信号を受信するテレビジョン放送受信機であって、
各地域に対応するチャンネルリストを予め記憶するチャンネルリスト記憶手段と、
受信可能な地域を識別するための地域識別情報を含むテレビジョン放送信号を受信する受信手段と、
現在位置を検出する検出手段と、
前記各地域それぞれについて、テレビジョン放送信号を受信可能な範囲を記憶する受信範囲記憶手段と、
前記検出手段により検出された現在位置を含む受信範囲が、前記受信範囲記憶手段に記憶された一の受信範囲から他の受信範囲に切り替ったか否かを判断する判断手段と、
前記判断手段により現在位置を含む受信範囲が一の受信範囲から他の受信範囲に切り替ったと判断された場合に、チャンネルを所定の順番でスキャンして、前記受信手段によりテレビジョン放送信号の受信が可能なチャンネルを検出するスキャン手段と、
前記スキャン手段により受信可能な一のチャンネルが検出された場合に、当該チャンネルに対応するテレビジョン放送信号に含まれる地域識別情報に基づいて、当該テレビジョン放送信号を受信可能な地域を特定する特定手段と、
前記チャンネルリスト記憶手段に記憶されているチャンネルリストのうち、前記特定手段により特定された地域に対応するチャンネルリストを設定する設定手段と、
を備える。
請求項２に記載の発明は、
請求項１に記載のテレビジョン放送受信機であって、
前記スキャン手段は、前記設定手段により設定されたチャンネルリストにリストアップされているチャンネルを飛ばして前記スキャンを行うことを特徴とする。
【０００７】
請求項３に記載の発明は、
請求項１又は２に記載のテレビジョン放送受信機であって、
前記受信範囲記憶手段は、前記各地域の中に受信範囲が他の地域の受信範囲と重なる部分を有する地域がある場合は、当該地域の受信範囲を、当該他の地域の受信範囲と重なる部分を除く範囲と、当該他の地域の受信範囲と重なる部分の範囲と、に分けて記憶することを特徴とする。
【０００８】
請求項４に記載の発明は、
請求項１から３の何れか一項に記載のテレビジョン放送受信機であって、
前記検出手段は、ＧＰＳ（Global Positioning System）及び／又はＥＴＣ（Electronic Toll Collection System）を利用して現在位置を検出することを特徴とする。
【００１０】
請求項５に記載の発明は、
請求項１〜４の何れか一項に記載のテレビジョン放送受信機によるチャンネルリスト設定方法であって、
前記検出手段によって、現在位置を検出する検出ステップと、
前記判断手段によって、前記検出手段により検出された現在位置を含む受信範囲が、前記受信範囲記憶手段に記憶された一の受信範囲から他の受信範囲に切り替ったか否かを判断する判断ステップと、
前記判断ステップで現在位置を含む受信範囲が一の受信範囲から他の受信範囲に切り替ったと判断された場合に、前記スキャン手段によって、チャンネルを所定の順番でスキャンして、前記受信手段によりテレビジョン放送信号の受信が可能なチャンネルを検出するスキャンステップと、
前記スキャンステップで受信可能な一のチャンネルが検出された場合に、前記特定手段によって、当該チャンネルに対応するテレビジョン放送信号に含まれる地域識別情報に基づいて、当該テレビジョン放送信号を受信可能な地域を特定する特定ステップと、
前記設定手段によって、前記チャンネルリスト記憶手段に記憶されているチャンネルリストのうち、前記特定手段により特定された地域に対応するチャンネルリストを設定する設定ステップと、
を備える。
【発明の効果】
【００１１】
本発明によれば、テレビジョン放送信号を受信するテレビジョン放送受信機及び当該テレビジョン放送受信機によるチャンネルリスト設定方法において、テレビジョン放送受信機は、各地域に対応するチャンネルリストを予め記憶するチャンネルリスト記憶手段と、受信可能な地域を識別するための地域識別情報を含むテレビジョン放送信号を受信する受信手段と、各地域それぞれについて、テレビジョン放送信号を受信可能な範囲を記憶する受信範囲記憶手段と、を備え、現在位置を検出し、検出された現在位置を含む受信範囲が、受信範囲記憶手段に記憶された一の受信範囲から他の受信範囲に切り替ったか否かを判断し、現在位置を含む受信範囲が一の受信範囲から他の受信範囲に切り替ったと判断された場合に、チャンネルを所定の順番でスキャンして、受信手段によりテレビジョン放送信号の受信が可能なチャンネルを検出し、受信可能な一のチャンネルが検出された場合に、当該チャンネルに対応するテレビジョン放送信号に含まれる地域識別情報に基づいて、当該テレビジョン放送信号を受信可能な地域を特定し、チャンネルリスト記憶手段に記憶されているチャンネルリストのうち、特定された地域に対応するチャンネルリストを設定することができる。
すなわち、一のチャンネルを検出すると、当該一のチャンネルに対応するテレビジョン放送信号を受信可能な地域のチャンネルリストを設定することができるため、その地域で受信可能な他のチャンネルを検出する時間を省略することができるとともに、テレビジョン放送信号が受信可能な地域のチャンネルリストのみを設定することができる。したがって、最適なチャンネルリストを効率よく設定することができる。
また、現在位置を含む受信範囲が、設定されているチャンネルリストに対応する地域の受信範囲から他の受信範囲に切り替ったタイミングで、チャンネルリストの再設定を行うことができるためチャンネルリストを好適なタイミングで再設定することができる。
【発明を実施するための最良の形態】
【００１２】
以下、図を参照して、本発明を実施するための最良の形態を詳細に説明する。なお、発明の範囲は、図示例に限定されない。
【００１３】
＜テレビジョン放送受信機の構成＞
まず、テレビジョン放送受信機１の構成について、図１を参照して説明する。
【００１４】
テレビジョン放送受信機１は、例えば、設定されたチャンネルリスト（メモリ部１７に記憶されたチャンネルリスト１７１）に基づいて通常動作時にテレビジョン放送信号（ＴＶ放送信号）を受信する、携帯及び／又は車載可能なテレビジョン放送受信機である。具体的には、テレビジョン放送受信機１は、例えば、ポータブルテレビ、車載テレビ、携帯端末に内蔵されたテレビ、カーナビゲーション装置に内蔵されたテレビなどである。
テレビジョン放送受信機１は、例えば、チューナ１１と、復調部１２と、デコーダ部１３と、出力部１４と、現在位置信号受信部１５と、操作部１６と、メモリ部１７と、制御部１８と、などを備えて構成される。
【００１５】
チューナ１１は、例えば、受信手段として、ＴＶ放送信号を受信する。
具体的には、チューナ１１は、例えば、制御部１８から入力される制御信号に従って、アンテナ１１ａにより受信されたＴＶ放送信号（例えば、デジタル方式のＴＶ放送信号）の中から、選局された一のチャンネルに対応する周波数帯域に存在するＴＶ放送信号を受信し、当該ＴＶ放送信号を変調して、中間周波信号を復調部１２に出力する。
【００１６】
復調部１２は、例えば、制御部１８から入力される制御信号に従って、チューナ１１から入力されたＴＶ放送信号（中間周波信号）に対してデジタル復調や誤り訂正などの所定の処理を施して、ストリーム（例えば、ＴＳ（トランスポートストリーム））をデコーダ部１３に出力する。
【００１７】
デコーダ部１３は、例えば、図１に示すように、分離部１３１と、ビデオデコーダ１３２と、オーディオデコーダ１３３と、データデコーダ１３４と、などを備えて構成される。
【００１８】
分離部１３１は、例えば、制御部１８から入力される制御信号に従って、復調部１２から入力されたＴＶ放送信号（ＴＳ）を、ビデオデータ、オーディオデータ、デジタル放送におけるＰＳＩ（Program Specific Information:番組特定情報）、ＳＩ（Service Information: 番組配列情報）などの複数のストリームに分離し、ＰＳＩと各ＴＳパケットが有するＰＩＤ（Packet Identifier）に基づいて必要なＴＳパケットを取得し、所定の規格下（例えば、ＭＰＥＧ２（Moving Picture Experts Group 2）規格下）のビデオストリームをビデオデコーダ１３２に出力し、オーディオストリームをオーディオデコーダ１３３に出力し、必要なＰＳＩやＳＩなどをデータデコーダ１３４に出力する。
【００１９】
ＰＳＩは、ＰＭＴ（Program Map Table）、ＰＡＴ（Program Association Table）、ＮＩＴ（Network Information Table）、ＣＡＴ（Conditional Access Table）のテーブルであり、ＴＳパケットのＰＩＤに基づいて、選局された番組の提供に必要なパケットを選択する際などに用いられる。
ＮＩＴ内には、そのＮＩＴを含むＴＶ放送信号が受信可能な地域を識別するための地域識別情報（例えば、network_idなど）が含まれている。すなわち、ＮＩＴによって、そのＮＩＴを含むＴＶ放送信号がどこの地域にあるどこの放送局による放送なのかを識別できるようになっている。
【００２０】
また、ＳＩは、サービス（チャンネル）に関する情報を記述するＳＤＴ（Service Description Table）、番組（イベント）に関する情報を記述するＥＩＴ（Event Information Table）、現在の日付・時刻を記述するＴＯＴ（Time Offset Table）、放送事業者に関する情報を記述するＢＩＴ（Broadcaster Information Table）などの各種テーブルである。
【００２１】
ビデオデコーダ１３２は、例えば、制御部１８から入力される制御信号に従って、分離部１３１から入力されたビデオストリームをデコードして映像データを生成し、制御部１８や出力部１４が有する映像出力部１４１に出力する。
【００２２】
オーディオデコーダ１３３は、例えば、制御部１８から入力される制御信号に従って、分離部１３１から入力されたオーディオストリームをデコードして音声データを生成し、制御部１８や出力部１４が有する音声出力部１４２に出力する。
【００２３】
データデコーダ１３４は、例えば、制御部１８から入力される制御信号に従って、分離部１３１から入力されたＰＳＩやＳＩなどをデコードして、制御部１８に出力する。
【００２４】
出力部１４は、例えば、図１に示すように、映像出力部１４１と、音声出力部１４２と、などを備えて構成される。
【００２５】
映像出力部１４１は、例えば、液晶表示機器等であり、例えば、制御部１８から入力される制御信号に従って、ビデオデコーダ１３２から入力された映像データに基づく映像を表示する。
【００２６】
音声出力部１４２は、例えば、スピーカ機器等であり、例えば、制御部１８から入力される制御信号に従って、オーディオデコーダ１３３から入力された音声データに基づく音声を出力する。
【００２７】
現在位置信号受信部１５は、例えば、ＧＰＳアンテナであり、例えば、現在位置に関する現在位置信号として、複数のＧＰＳ衛星から送信されたＧＰＳ信号を受信して、制御部１８に出力する。
【００２８】
操作部１６は、例えば、テレビジョン放送受信機１の外面に備えられた操作ボタンや、テレビジョン放送受信機１用のリモートコントローラ及び当該リモートコントローラと通信可能なリモコン受信部などから構成されており、例えば、ユーザにより操作されると、当該操作に伴う各種信号を制御部１８に出力する。
具体的には、操作部１６には、例えば、チャンネルアップ／ダウンキーやチャンネル番号キーが設けられており、操作部１６は、例えば、ユーザが所望のチャンネルを選局する際などに使用される。
【００２９】
メモリ部１７は、例えば、設定プログラム１８３ｂ６を実行したＣＰＵ１７１（後述）により設定されたチャンネルリスト１７１を記憶する。
【００３０】
制御部１８は、例えば、図１に示すように、ＣＰＵ（Central Processing Unit）１８１と、ＲＡＭ（Random Access Memory）１８２と、記憶部１８３と、などを備えている。
【００３１】
ＣＰＵ１８１は、例えば、記憶部１８３に記憶されたテレビジョン放送受信機１用の各種処理プログラムに従って各種の制御動作を行う。
【００３２】
ＲＡＭ１８２は、例えば、ＣＰＵ１８１によって実行される処理プログラムなどを展開するためのプログラム格納領域や、入力データや上記処理プログラムが実行される際に生じる処理結果などを格納するデータ格納領域などを備える。
【００３３】
記憶部１８３は、例えば、テレビジョン放送受信機１で実行可能なシステムプログラム、当該システムプログラムで実行可能な各種処理プログラム、これら各種処理プログラムを実行する際に使用されるデータ、ＣＰＵ１８１によって演算処理された処理結果のデータなどを記憶する。なお、プログラムは、コンピュータが読み取り可能なプログラムコードの形で記憶部１８３に記憶されている。
【００３４】
具体的には、記憶部１８３は、例えば、図１に示すように、地域別チャンネルリスト記憶ファイル１８３ａ１と、受信範囲記憶ファイル１８３ａ２と、現在位置検出プログラム１８３ｂ１と、判断プログラム１８３ｂ２と、スキャンプログラム１８３ｂ３と、特定プログラム１８３ｂ４と、取得プログラム１８３ｂ５と、設定プログラム１８３ｂ６と、などを記憶している。
【００３５】
地域別チャンネルリスト記憶ファイル１８３ａ１は、例えば、チャンネルリスト記憶手段として、予め設定された各地域に対応するチャンネルリストを記憶している。
具体的には、地域別チャンネルリスト記憶ファイル１８３ａ１には、例えば、図２に示すように、地域Ａ、地域Ｂ、地域Ｃ、…などの予め設定された各地域に対応するチャンネルリストが記憶されている。
ここで、予め設定された地域（地域Ａ、地域Ｂ、地域Ｃ、…）とは、例えば、ＴＶ放送信号の送信場所別に分割された地域や都道府県別に分割された地域などである。
【００３６】
チャンネルリストには、例えば、図２に示すように、ＴＶ放送信号を放送する放送局名と、そのＴＶ放送信号に含まれるＮＩＴ（地域識別情報）と、そのＴＶ放送信号が存在する周波数帯域の周波数値に対応するよう付与された物理チャンネル番号と、そのＴＶ放送信号を放送する放送局毎に割り当てられたそのＴＶ放送信号を選局する際に選択されるリモコン番号と、そのＴＶ放送信号が送信される送信場所と、などがリストアップされている。
【００３７】
受信範囲記憶ファイル１８３ａ２は、例えば、受信範囲記憶手段として、予め設定された各地域それぞれについて、当該地域の地域識別情報を含むＴＶ放送信号を受信可能な受信範囲、すなわち、当該地域から送信されるＴＶ放送信号を受信可能な受信範囲を記憶している。
具体的には、受信範囲記憶ファイル１８３ａ２は、地域の受信範囲を、例えば、その受信範囲の緯度及び経度で記憶している。
【００３８】
ここで、受信範囲記憶ファイル１８３ａ２は、予め設定された各地域の中に受信範囲が他の地域の受信範囲と重なる部分を有する地域がある場合は、当該地域の受信範囲を、例えば、当該他の地域の受信範囲と重なる部分を除く範囲と、当該他の地域の受信範囲と重なる部分の範囲と、に分けて記憶している。予め設定された各地域の受信範囲には、当該地域内の何れの位置においても当該地域の地域識別情報を含むＴＶ放送信号を受信することができるように、当該地域よりも大きい範囲が設定されている。したがって、近接する地域同士の間では、受信範囲が重なる場合がある。
具体的には、例えば、地域Ａ及び地域Ｂを予め設定された地域とする。例えば、図３に示すように、地域Ａの受信範囲は略円形であり、地域Ａの受信範囲は他の地域（地域Ｂ）の受信範囲と重なる部分を有している。また、地域Ｂの受信範囲は略円形であり、地域Ｂの受信範囲は他の地域（地域Ａ）の受信範囲と重なる部分を有している。この場合、受信範囲記憶ファイル１８３ａ２は、地域Ａの受信範囲（略円形状範囲）のうちの地域Ｂの受信範囲（略円形状範囲）と重なる部分（図３における斜線部分）を除く範囲を「地域Ａの受信範囲」として記憶し、地域Ｂの受信範囲（略円形状範囲）のうちの地域Ａの受信範囲（略円形状範囲）と重なる部分（図３における斜線部分）を除く範囲を「地域Ｂの受信範囲」として記憶し、地域Ａの受信範囲（略円形状範囲）と地域Ｂの受信範囲（略円形状範囲）とが重なる部分（図３における斜線部分）の範囲を「地域Ａ及び地域Ｂの受信範囲」として記憶している。なお、地域Ａの受信範囲（略円形状範囲）が他の地域（例えば、地域Ｂなど）の受信範囲（略円形状範囲）と重ならない場合は、受信範囲記憶ファイル１８３ａ２は、地域Ａの受信範囲（略円形状範囲）全体を「地域Ａの受信範囲」として記憶し、地域Ｂの受信範囲（略円形状範囲）が他の地域（例えば、地域Ａなど）の受信範囲（略円形状範囲）と重ならない場合は、受信範囲記憶ファイル１８３ａ２は、地域Ｂの受信範囲（略円形状範囲）全体を「地域Ｂの受信範囲」として記憶する。
【００３９】
現在位置検出プログラム１８３ｂ１は、例えば、現在位置信号受信部１５から入力されたＧＰＳ信号に基づいて、テレビジョン放送受信機１の現在位置（緯度及び経度）を検出する機能を、ＣＰＵ１８１に実現させる。
ここで、ＧＰＳ（Global Positioning System）を利用して現在位置を検出する検出手段は、ＧＰＳアンテナである現在位置信号受信部１５と、現在位置検出プログラム１８３ｂ１を実行したＣＰＵ１８１と、により構成される。
【００４０】
判断プログラム１８３ｂ２は、例えば、現在位置信号受信部１５及び現在位置検出プログラム１８３ｂ１を実行したＣＰＵ１８１により検出された現在位置を含む受信範囲が、受信範囲記憶ファイル１８３ａ１に記憶された一の受信範囲から他の受信範囲に切り替ったか否かを判断する機能を、ＣＰＵ１８１に実現させる。
【００４１】
具体的には、ＣＰＵ１８１は、例えば、メモリ部１７に記憶されたチャンネルリスト１７１に対応する地域を認識する。
より具体的には、例えば、メモリ部１７に記憶されたチャンネルリスト１７１が「地域Ａ」のチャンネルリストのみである場合、ＣＰＵ１８１は「地域Ａ」と認識する。
一方、例えば、メモリ部１７に記憶されたチャンネルリスト１７１が「地域Ａ」及び「地域Ｂ」のチャンネルリストである場合、ＣＰＵ１８１は「地域Ａ及び地域Ｂ」と認識する。
【００４２】
そして、ＣＰＵ１８１は、例えば、受信範囲記憶ファイル１８３ａ２を参照して、検出された現在位置が、認識した地域の受信範囲内にあるか否かを判断する。
より具体的には、例えば、「地域Ａ」と認識した場合、ＣＰＵ１８１は、検出された現在位置が、地域Ａの受信範囲（略円形状範囲）のうちの地域Ｂの受信範囲（略円形状範囲）と重なる部分（図３における斜線部分）を除く範囲（受信範囲記憶ファイル１８３ａ２に記憶された「地域Ａの受信範囲」）内にあるか否かを判断する。そして、ＣＰＵ１８１は、その範囲内にあると判断すると、受信範囲が切り替っていないと判断し、その範囲内にないと判断すると、受信範囲が切り替ったと判断する。
一方、例えば、「地域Ａ及び地域Ｂ」と認識した場合、ＣＰＵ１８１は、検出された現在位置が、地域Ａの受信範囲（略円形状範囲）と地域Ｂの受信範囲（略円形状範囲）とが重なる部分（図３における斜線部分）の範囲（受信範囲記憶ファイル１８３ａ２に記憶された「地域Ａ及び地域Ｂの受信範囲」）内にあるか否かを判断する。ＣＰＵ１８１は、その範囲内にあると判断すると、受信範囲が切り替っていないと判断し、その範囲内にないと判断すると、受信範囲が切り替ったと判断する。
ＣＰＵ１８１は、かかる判断プログラム１８３ｂ２を実行することによって、判断手段として機能する。
【００４３】
スキャンプログラム１８３ｂ３は、例えば、チャンネルを所定の順番でスキャンして、チューナ１１によりＴＶ放送信号の受信が可能なチャンネルを検出する機能を、ＣＰＵ１８１に実現させる。
ここで、所定の順番とは、例えば、物理チャンネル番号の順である。
また、ＣＰＵ１８１は、例えば、判断プログラム１８３ｂ２を実行したＣＰＵ１８１により現在位置を含む受信範囲が一の受信範囲から他の受信範囲に切り替ったと判断された場合に、スキャンを開始するようになっている。
また、ＣＰＵ１８１は、例えば、設定プログラム１８３ｂ６を実行したＣＰＵ１８１により設定されたチャンネルリスト（メモリ部１７に記憶されたチャンネルリスト１７１）にリストアップされているチャンネルがある場合は、そのチャンネルを飛ばしてスキャンを行うようになっている。
【００４４】
具体的には、ＣＰＵ１８１は、例えば、選局する一のチャンネル（物理チャンネル）が、設定プログラム１８３ｂ６を実行したＣＰＵ１８１により設定されたチャンネルリスト（すなわち、メモリ部１７に記憶されたチャンネルリスト１７１）にリストアップされているチャンネル（物理チャンネル）であるか否かを判断する。
ＣＰＵ１８１は、例えば、選局する一のチャンネルが、メモリ部１７に記憶されたチャンネルリスト１７１にリストアップされているチャンネルでないと判断した場合、その一のチャンネルを選局し（すなわち、その一のチャンネルに対応する周波数帯域をチューナ１１に設定し）、デコーダ部１３から映像データや音声データが出力されるか否かを判断する。そして、ＣＰＵ１８１は、デコーダ部１３から映像データや音声データが出力されたと判断すると、選局した一のチャンネルを、チューナ１１によりＴＶ放送信号の受信が可能なチャンネルとして検出する。一方、ＣＰＵ１８１は、デコーダ部１３から映像データや音声データが出力されないと判断すると、選局した一のチャンネルは、チューナ１１によりＴＶ放送信号の受信が可能なチャンネルとして検出しない。
一方、ＣＰＵ１８１は、例えば、選局する一のチャンネルが、メモリ部１７に記憶されたチャンネルリスト１７１にリストアップされているチャンネルであると判断した場合、その一のチャンネルは選局しない。
そして、ＣＰＵ１８１は、この一連の動作を、物理チャンネル番号の順に行う。
ＣＰＵ１８１は、かかるスキャンプログラム１８３ｂ３を実行することによって、スキャン手段として機能する。
【００４５】
特定プログラム１８３ｂ５は、例えば、スキャンプログラム１８３ｂ３を実行したＣＰＵ１８１により受信可能な一のチャンネルが検出された場合に、当該チャンネルに対応するＴＶ放送信号に含まれるＮＩＴ（地域識別情報）に基づいて、当該テレビジョン放送信号を受信可能な地域を特定する機能を、ＣＰＵ１８１に実現させる。
【００４６】
具体的には、ＣＰＵ１８１は、例えば、スキャンプログラム１８３ｂ３を実行したＣＰＵ１８１により受信可能な一のチャンネルが検出されると、データデコーダ１３４から入力されたＰＳＩ中のＮＩＴを読み取り、その読み取ったＮＩＴ内の地域識別情報がリストアップされたチャンネルリストを地域別チャンネルリスト記憶ファイル１８３ａ１から検索して、検索されたチャンネルリストに対応する地域を、ＴＶ放送信号を受信可能な地域として特定する。
より具体的には、例えば、図２に示すように、ＣＰＵ１８１は、読み取ったＮＩＴ内に「７ＦＥ０」という情報が含まれる場合は、ＴＶ放送信号を受信可能な地域を「地域Ａ」と特定する。
ＣＰＵ１８１は、かかる特定プログラム１８３ｂ４を実行することによって、特定手段として機能する。
【００４７】
なお、読み取ったＮＩＴ内の地域識別情報がリストアップされたチャンネルリストを地域別チャンネルリスト記憶ファイル１８３ａ１から検索して、ＴＶ放送信号を受信可能な地域を特定するのではなく、例えば、予め設定された各地域に対応する地域識別情報リストを記憶部１８３内の地域別地域識別情報リスト記憶ファイル（図示省略）などに記憶しておき、読み取ったＮＩＴ内の地域識別情報がリストアップされた地域識別情報リストを地域別地域識別情報リスト記憶ファイルから検索して、ＴＶ放送信号を受信可能な地域を特定しても良い。
【００４８】
取得プログラム１８３ｂ５は、例えば、特定プログラム１８３ｂ４を実行したＣＰＵ１８１により特定された地域に対応するチャンネルリストを地域別チャンネルリスト記憶ファイル１８３ａ１から取得する機能を、ＣＰＵ１８１に実現させる。
ＣＰＵ１８１は、かかる取得プログラム１８３ｂ５を実行することによって、取得手段として機能する。
【００４９】
設定プログラム１８３ｂ６は、例えば、取得プログラム１８３ｂ５を実行したＣＰＵ１８１により取得されたチャンネルリストをメモリ部１７にチャンネルリスト１７１として記憶させることによって、その取得されたチャンネルリストを設定する機能を、ＣＰＵ１８１に実現させる。
ＣＰＵ１８１は、かかる設定プログラム１８３ｂ６を実行することによって、設定手段として機能する。
【００５０】
＜チャンネルリスト設定方法＞
次に、テレビジョン放送受信機１によるチャンネル設定方法について、図４及び図５のフローチャートを参照して説明する。
【００５１】
まず、ＣＰＵ１８１は、現在位置検出プログラム１８３ｂ１を実行して、現在位置信号受信部１５から入力されたＧＰＳ信号に基づいて、テレビジョン放送受信機１の現在位置を検出する（ステップＳ１）。
【００５２】
次いで、ＣＰＵ１８１は、判断プログラム１８３ｂ２を実行して、検出された現在位置を含む受信範囲が、受信範囲記憶ファイル１８３ａ１に記憶された一の受信範囲から他の受信範囲に切り替ったか否かを判断する（ステップＳ２）。
【００５３】
ステップＳ２で、検出された現在位置を含む受信範囲が、受信範囲記憶ファイル１８３ａ１に記憶された一の受信範囲から他の受信範囲に切り替っていないと判断すると（ステップＳ２；Ｎｏ）、ＣＰＵ１８１は、ステップＳ１以降の処理を繰り返して行う。
一方、ステップＳ２で、検出された現在位置を含む受信範囲が、受信範囲記憶ファイル１８３ａ１に記憶された一の受信範囲から他の受信範囲に切り替ったと判断すると（ステップＳ２；Ｙｅｓ）、ＣＰＵ１８１は、スキャンプログラム１８３ｂ３を実行して、メモリ部１７に記憶されているチャンネルリスト１７１を消去することによって、設定されているチャンネルリストを消去する（ステップＳ３）。
【００５４】
次いで、ＣＰＵ１８１は、ＲＡＭ１８２内の「ｎ（選局するチャンネルの物理チャンネル番号）」記憶領域に、最も小さい物理チャンネル番号を設定する（ステップＳ４）。
具体的には、例えば、物理チャンネルが１３ｃｈ〜６２ｃｈの５０チャンネルである場合、ＣＰＵ１８１は、「ｎ」記憶領域に「１３」を設定する。
【００５５】
次いで、ＣＰＵ１８１は、物理チャンネル番号が「ｎ」のチャンネルを選局する（ステップＳ５）。
【００５６】
次いで、ＣＰＵ１８１は、チューナ１１によりＴＶ放送信号の受信が可能であるか否かを判断する（ステップＳ６）。
【００５７】
ステップＳ６で、チューナ１１によりＴＶ放送信号の受信が可能でないと判断すると（ステップＳ６；Ｎｏ）、ＣＰＵ１８１は、ステップＳ１１の処理に移行する。
一方、ステップＳ６で、チューナ１１によりＴＶ放送信号の受信が可能であると判断すると（ステップＳ６；Ｙｅｓ）、ＣＰＵ１８１は、選局した一のチャンネル（すなわち、物理チャンネル番号が「ｎ」のチャンネル）を、チューナ１１によりＴＶ放送信号の受信が可能なチャンネルとして検出する（ステップＳ７）。
【００５８】
次いで、ＣＰＵ１８１は、特定プログラム１８３ｂ４を実行して、受信されたＴＶ放送信号に含まれるＮＩＴ内の地域識別情報に基づいて、物理チャンネル番号が「ｎ」のチャンネルに対応するＴＶ放送信号を受信可能な地域を特定する（ステップＳ８）。
【００５９】
次いで、ＣＰＵ１７１は、取得プログラム１８３ｂ５を実行して、特定された地域に対応するチャンネルリストを地域別チャンネルリスト記憶ファイル１８３ａ１から取得する（ステップＳ９）。
【００６０】
次いで、ＣＰＵ１８１は、設定プログラム１８３ｂ６を実行して、取得されたチャンネルリストをメモリ部１７に記憶させることによって、その取得されたチャンネルリストを設定する（ステップＳ１０）。
【００６１】
次いで、ＣＰＵ１８１は、スキャンプログラム１８３ｂ３を実行して、「ｎ」記憶領域に記憶された番号が、最も大きい物理チャンネル番号であるか否かを判断する（ステップＳ１１）。
具体的には、例えば、物理チャンネルが１３ｃｈ〜６２ｃｈの５０チャンネルである場合、ＣＰＵ１８１は、「ｎ」記憶領域に記憶された番号が「６２」であるか否かを判断する。
【００６２】
ステップＳ１１で、「ｎ」記憶領域に記憶された番号が、最も大きい物理チャンネル番号であると判断すると（ステップＳ１１；Ｙｅｓ）、ＣＰＵ１８１は、ステップＳ１以降の処理を繰り返して行う。
一方、ステップＳ１１で、「ｎ」記憶領域に記憶された番号が、最も大きい物理チャンネル番号でないと判断すると（ステップＳ１１；Ｙｅｓ）、ＣＰＵ１８１は、「ｎ」記憶領域に「ｎ＋１」を設定する（ステップＳ１２）。
【００６３】
次いで、ＣＰＵ１８１は、物理チャンネル番号が「ｎ」のチャンネルが、ステップＳ１０で設定されたチャンネルリストにリストアップされているか否かを判断する（ステップＳ１３）。
【００６４】
ステップＳ１３で、物理チャンネル番号が「ｎ」のチャンネルが、ステップＳ１０で設定されたチャンネルリストにリストアップされていないと判断すると（ステップＳ１３；Ｎｏ）、ＣＰＵ１８１は、ステップＳ５以降の処理を繰り返して行う。
一方、ステップＳ１３で、物理チャンネル番号が「ｎ」のチャンネルが、ステップＳ１０で設定されたチャンネルリストにリストアップされていると判断すると（ステップ１３；Ｙｅｓ）、ＣＰＵ１８１は、ステップＳ１１以降の処理を繰り返して行う。
【００６５】
ここで、ステップＳ１の処理が検出ステップに相当し、ステップＳ２の処理が判断ステップに相当し、ステップＳ３〜Ｓ７及びステップＳ１１〜Ｓ１３の処理がスキャンステップに相当し、ステップＳ８の処理が特定ステップに相当し、ステップＳ９の処理が取得ステップに相当し、ステップＳ１０８の処理が設定ステップに相当する。
【００６６】
以上説明した本発明のテレビジョン放送受信機１及びテレビジョン放送受信機１によるチャンネルリスト設定方法によれば、テレビジョン放送受信機１は、予め設定された各地域に対応するチャンネルリストを記憶する地域別チャンネルリスト記憶ファイル１８３ａ１と、受信可能な地域を識別するための地域識別情報を含むＴＶ放送信号を受信するチューナ１１と、予め設定された各地域それぞれについて、当該地域の地域識別情報を含むＴＶ放送信号を受信可能な受信範囲を記憶する受信範囲記憶ファイル１８３ａ２と、を備え、現在位置信号受信部１５及び現在位置検出プログラム１８３ｂ１を実行したＣＰＵ１８１によって、現在位置を検出し、判断プログラム１８３ｂ２を実行したＣＰＵ１８１によって、検出された現在位置を含む受信範囲が、受信範囲記憶ファイル１８３ａ２に記憶された一の受信範囲から他の受信範囲に切り替ったか否かを判断し、現在位置を含む受信範囲が一の受信範囲から他の受信範囲に切り替ったと判断された場合に、スキャンプログラム１８３ｂ３を実行したＣＰＵ１８１によって、設定されているチャンネルリストにリストアップされているチャンネルを飛ばしながらチャンネルを所定の順番でスキャンして、チューナ１１によりＴＶ放送信号の受信が可能なチャンネルを検出し、特定プログラム１８３ｂ４を実行したＣＰＵ１８１によって、受信可能な一のチャンネルが検出された場合に、当該チャンネルに対応するＴＶ放送信号に含まれる地域識別情報に基づいて、当該ＴＶ放送信号を受信可能な地域を特定し、取得プログラム１８３ｂ５を実行したＣＰＵ１８１によって、特定された地域に対応するチャンネルリストを地域別チャンネルリスト記憶ファイル１８３ａ１から取得し、設定プログラム１８３ｂ６を実行したＣＰＵ１８１によって、取得されたチャンネルリストを設定することができる。
すなわち、一のチャンネルを検出すると、当該一のチャンネルに対応するＴＶ放送信号を受信可能な地域のチャンネルリストを設定することができるため、その地域で受信可能な他のチャンネルを検出する時間を省略することができるとともに、ＴＶ放送信号が受信可能な地域のチャンネルリストのみを設定することができる。したがって、最適なチャンネルリストを効率よく設定することができる。
また、現在位置を含む受信範囲が、設定されているチャンネルリストに対応する地域の受信範囲から他の受信範囲に切り替ったタイミングで、チャンネルリストの再設定を行うことができるためチャンネルリストを好適なタイミングで再設定することができる。
【００６７】
また、以上説明した本発明のテレビジョン放送受信機１及びテレビジョン放送受信機１によるチャンネルリスト設定方法によれば、テレビジョン放送受信機１に設定されているチャンネルリストには、スキャン時には検出できないが、テレビジョン放送受信機１が移動したりすると検出できる可能性のあるチャンネルリストもリストアップされるため、チャンネルリストの再設定の頻度を抑えることができる。
具体的には、例えば、スキャン時に、テレビジョン放送受信機が或るＴＶ放送信号（例えば、第１ＴＶ放送信号）の届きにくい位置にある場合など、その位置を含む受信範囲（例えば、地域Ａの受信範囲）で本来は受信可能であるが、スキャン時には受信できないＴＶ放送信号（第１ＴＶ放送信号）が存在する場合がある。この場合、テレビジョン放送受信機の位置が移動すると、その第１ＴＶ放送信号を受信できることがあるが、従来のように、全チャンネルをスキャンして、検出されたチャンネルのみをリストアップしたチャンネルリストを設定するようにすると、通常動作時にその第１ＴＶ放送信号に基づく映像や音声を視聴するためには、チャンネルリストを再設定する必要がある。しかしながら、本発明のテレビジョン放送受信機１及びテレビジョン放送受信機１によるチャンネルリスト設定方法によれば、地域Ａの受信範囲で受信可能な第１ＴＶ放送信号以外のＴＶ放送信号が受信できれば、第１ＴＶ放送信号に対応するチャンネルがリストアップされたチャンネルリストを設定することができるため、チャンネルリストの再設定の頻度を抑えることができる。
【００６８】
また、以上説明した本発明のテレビジョン放送受信機１及びテレビジョン放送受信機１によるチャンネルリスト設定方法によれば、テレビジョン放送受信機１の受信範囲記憶ファイル１８３ａ２は、予め設定された各地域の中に受信範囲が他の地域の受信範囲と重なる部分を有する地域がある場合は、当該地域の受信範囲を、当該他の地域の受信範囲と重なる部分を除く範囲と、当該他の地域の受信範囲と重なる部分の範囲と、に分けて記憶している。
例えば、或る地域（例えば、地域Ａ）の受信範囲の外縁部分では、地域Ａに近接する地域（例えば、地域Ｂ）に対応するＴＶ放送信号も受信可能な場合がある。すなわち、例えば、地域Ａの受信範囲の外縁部分と地域Ｂの受信範囲の外縁部分とが重なっている場合がある。この場合、地域Ａの受信範囲と地域Ｂの受信範囲とが重なっている部分の範囲内にあるテレビジョン放送受信機では、地域Ａに対応する放送も地域Ｂに対応する放送も視聴可能であるのが好ましい。そこで、本発明のテレビジョン放送受信機１では、現在位置を含む受信範囲が、地域Ａの受信範囲（略円形状範囲）のうちの地域Ｂの受信範囲（略円形状範囲）と重なる部分を除く範囲から、地域Ａの受信範囲（略円形状範囲）と地域Ｂの受信範囲（略円形状範囲）とが重なる部分の範囲に切り替った際に、地域Ａに対応するチャンネルリスト及び地域Ｂに対応するチャンネルリストを設定することができるため、地域Ａに対応する放送も地域Ｂに対応する放送も視聴することができることとなって好適である。
【００６９】
また、以上説明した本発明のテレビジョン放送受信機１及びテレビジョン放送受信機１によるチャンネルリスト設定方法によれば、テレビジョン放送受信機１の現在位置信号受信部１５及び現在位置検出プログラム１８３ｂ１を実行したＣＰＵ１８１は、ＧＰＳ（Global Positioning System）を利用して現在位置を検出することができるため、正確な現在位置を検出することができる。
【００７０】
また、以上説明した本発明のテレビジョン放送受信機１及びテレビジョン放送受信機１によるチャンネルリスト設定方法によれば、テレビジョン放送受信機１は、携帯及び／又は車載可能である。
したがって、携帯及び／又は車載不可能なテレビジョン放送受信機と比較して、予め設定された地域（地域Ａ、地域Ｂ、地域Ｃ、…）同士の間を移動する頻度が多く、チャンネルリストを再設定する頻度が多くなるが、テレビジョン放送受信機１は、最適なチャンネルリストを効率よく設定することができるため、使い勝手が良い。
【００７１】
なお、本発明は、上記した実施の形態のものに限るものではなく、その要旨を逸脱しない範囲で適宜変更可能である。
【００７２】
ＧＰＳを利用して現在位置を検出するようにしたが、現在位置の検出の仕方は任意であり、例えば、ＥＴＣ（Electronic Toll Collection System）を利用して現在位置を検出しても良い。
この場合、現在位置信号受信部１５は、ＥＴＣアンテナである。また、記憶部１８３内などに、例えば、ＥＴＣゲートを識別するためのＥＴＣゲート識別情報と、そのＥＴＣゲートの位置情報（緯度及び経度）と、を対応付けて記憶するＥＴＣゲート位置情報記憶ファイルを記憶しておく必要がある。具体的には、現在位置信号受信部１５は、例えば、現在位置に関する現在位置情報として、ＥＴＣゲートから送信された、そのＥＴＣゲートのＥＴＣゲート識別情報を含むＥＴＣ信号を受信して、制御部１８に出力する。そして、現在位置検出プログラム１８３ｂ１を実行したＣＰＵ１８１は、例えば、現在位置信号受信部１５から入力されたＥＴＣ信号に含まれるＥＴＣゲート情報に対応するＥＴＣゲートの位置情報を、ＥＴＣゲート位置情報記憶ファイルから取得することによって、テレビジョン放送信号受信機１の現在位置（緯度及び経度）を検出することになる。
また、ＧＰＳとＥＴＣの両方を利用して現在位置を検出しても良い。
【００７３】
所定の順番は、物理チャンネル番号の順である必要はなく任意である。
また、地域の受信範囲の形状は、略円形状に限ることはなく、任意である。
【００７４】
テレビジョン放送受信機１が車載テレビである場合は、テレビジョン放送受信機１とともに車載されたカーナビゲーション装置やＥＴＣ端末から現在位置信号（ＧＰＳ信号やＥＴＣ信号）を取得しても良い。
また、テレビジョン放送受信機１が携帯端末に内蔵されたテレビやカーナビゲーション装置に内蔵されたテレビである場合は、その携帯端末やカーナビゲーション装置から現在位置信号（ＧＰＳ信号やＥＴＣ信号）を取得しても良い。
また、テレビジョン放送受信機１は、携帯及び／又は車載可能である必要はない。
【００７５】
テレビジョン放送受信機１は、出力部１４を備える必要はない。この場合、テレビジョン放送受信機１は、テレビジョン放送受信機１に接続された外部出力装置からＴＶ放送信号に基づく映像や音声を出力することになる。
【００７６】
テレビジョン放送受信機１は、受信可能な一のチャンネルに対応するＴＶ放送信号を受信可能な地域のチャンネルリストを設定するチャンネルリスト設定方法だけでなく、このチャンネルリスト設定方法に加えて、全チャンネルをスキャンして検出されたチャンネルのみをリストアップしたチャンネルリストを設定する方法や、ユーザにより入力された郵便番号などに対応するチャンネルリストを設定する方法などによっても、チャンネルリストを設定できる構成としても良い。この場合、例えば、ユーザによる操作部１６の操作によって、チャンネルリストを設定する複数の方法の中から、ユーザ所望の方法を選択させると良い。
【図面の簡単な説明】
【００７７】
【図１】本発明のテレビジョン放送受信機の機能的構成を示すブロック図である。
【図２】図１の「地域別チャンネルリスト記憶ファイル」のデータ構造を示すブロック図である。
【図３】他の地域の受信範囲と重なる部分を除く範囲と、他の地域の受信範囲と重なる部分の範囲と、に分割された受信範囲を説明するための図である。
【図４】本発明のチャンネルリスト設定方法を説明するための第１フローチャートである。
【図５】本発明のチャンネルリスト設定方法を説明するための第２フローチャートである。
【符号の説明】
【００７８】
１  テレビジョン放送受信機
１１  チューナ（受信手段）
１５  現在位置信号受信部（検出手段）
１８１  ＣＰＵ（検出手段、判断手段、スキャン手段、特定手段、取得手段、設定手段）
１８３ａ１  地域別チャンネルリスト記憶ファイル（チャンネルリスト記憶手段）
１８３ａ２  受信範囲記憶ファイル（受信範囲記憶手段）
１８３ｂ１  現在位置検出プログラム（検出手段）
１８３ｂ２  判断プログラム（判断手段）
１８３ｂ３  スキャンプログラム（スキャン手段）
１８３ｂ４  特定プログラム（特定手段）
１８３ｂ５  取得プログラム（取得手段）
１８３ｂ６  設定プログラム（設定手段）
【図１】
0005145883.tif 000002
【図２】
0005145883.tif 000003
【図３】
0005145883.tif 000004
【図４】
0005145883.tif 000005
【図５】
0005145883.tif 000006